(57)【要約】【課題】豊富な数のカテゴリと、その関連情報を追って行き、最後は連想情報で締めくくるパスワードの入力方法を提供する。【解決手段】前記課題の目的を達成するために、少なくとも入力部と表示部を有する入出力装置の表示部に、カテゴリとそれに関連する要素情報を入力してパスワードとするパスワード入力方法であって、前記表示部に、複数のカテゴリを表示するカテゴリ情報表示枠を表示し、表示された複数のカテゴリから１つのカテゴリを選択して関連する複数の要素情報を第１の表示枠に表示し、前記複数の要素情報から１つを選択して第２の表示枠に表示し、第２の表示枠に表示された要素情報の関連情報を第３の表示枠に表示し、最初に選択したカテゴリと、第２の表示枠に表示された要素情報と第３の表示枠に表示された関連情報の組合せを入力者のパスワードとする。【選択図】  図１
2006079269.tif 000002
【特許請求の範囲】
【請求項１】
少なくとも入力部と表示部を有する入出力装置の表示部に、カテゴリとそれに関連する要素情報を入力してパスワードとするパスワード入力方法であって、
前記表示部に、複数のカテゴリを表示するカテゴリ表示枠を表示し、表示された複数のカテゴリから１つのカテゴリを選択して関連する複数の要素情報を第１の表示枠に表示し、前記複数の要素情報から１つを選択して第２の表示枠に表示し、第２の表示枠に表示された要素情報の関連情報を第３の表示枠に表示し、最初に選択したカテゴリと、第２の表示枠に表示された要素情報と第３の表示枠に表示された関連情報の組合せを入力者のパスワードとすることを特徴とするパスワード入力方法。
【請求項２】
請求項１に記載のパスワード入力方法において、
カテゴリ表示枠には概念要素を表示し、第１の表示枠には外延要素を表示したことを特徴とするパスワード入力方法。
【請求項３】
請求項１に記載のパスワード入力方法において、
第３の表示枠に表示された関連情報は、第２の表示枠に表示された要素情報から連想される連想情報であることを特徴とするパスワード入力方法。
【請求項４】
請求項１〜３何れか１項に記載のパスワード入力方法において、
カテゴリ表示枠のカテゴリの表示順序は、変更されることを特徴とするパスワード入力方法。
【請求項５】
請求項１〜４何れか１項に記載のパスワード入力方法において、
入力者の設定により、カテゴリ，要素情報，関連情報の組み合せ順序は、固定されることを特徴とするパスワード入力方法。
【請求項６】
請求項１〜５何れか１項に記載のパスワード入力方法において、
カテゴリ，要素情報，関連情報は、文字列，画像，記号の何れかを含む情報であることを特徴とするパスワード入力方法。
【請求項７】
請求項１〜６何れか１項に記載のパスワード入力方法において、
複数のカテゴリを選択する場合は、第２のカテゴリを選択し、関連する要素情報を第１の表示枠に表示し、前記複数の要素情報から１つを選択して第２の表示枠に表示し、第２の表示枠に表示された要素情報の関連情報を第３の表示枠に表示し、前記操作を順次繰り返すことを特徴とするパスワード入力方法。
【発明の詳細な説明】
【技術分野】
【０００１】
本発明は、コンピュータシステムなどへのログイン時に広く利用されているパスワードの入力方法に関する。
【背景技術】
【０００２】
従来から、コンピュータシステムへの不正アクセスを防止するため、また、利用者のプライバシーを保護するために、ログイン時にＩＤとパスワードを入力させている。
利用者は、登録するパスワードを忘れないように、パスワードに自分の名前、生年月日、電話番号など、アルファベットと数字からなる独立した情報の母集団から単語という意味のある単位で情報を組み合わせ、記憶しやすい形で記憶し、本人認証に利用していた。
しかし、このようなパスワードでは簡単に推測されて、解読されてしまうために、金融機関や、クレジットカード会社では、パスワードの設定時に前述の自分の名前、生年月日、電話番号などは適用しないように指導している。
また、パスワードをキー入力する代わりにＩＣカードなどの記録媒体にパスワードや、生体情報を記録しておき、入力されたパスワードや生体情報と、登録されたパスワードや生体情報と照合する方法などが提案されている。
しかし、これらの方法ではＩＣカード読取装置や、生体認証装置を入出力装置に接続しなければならず、システムが煩雑になるという課題があった。
これらの課題を解決すべくパスワード入力をグラフィックシンボルの画面位置での選択によって行うコンピュータシステムへのログオン方法が提案されている（例えば、特許文献１参照）。
この方法は、パスワード入力時に画面にグラフィックシンボルを表示し、シンボル毎に対応するコードを割り当て、利用者は、グラフィックシンボルを選択することでパスワードの入力を行う。また、画面に表示されるグラフィックシンボルをログオン毎に変化させる、というものである。
【０００３】
【特許文献１】特開平１０−９７５００号公報
【発明の開示】
【発明が解決しようとする課題】
【０００４】
しかし、前述の開示技術では、毎回変化する画面から一定のグラフィックシンボルを探し出さねばならず利用者にとって不便であり、仮に、何らかのストーリー性のあるグラフィックシンボルをパスワードとしても、抽象的なストーリーで設定されているために利用者は、設定したグラフィックシンボルを忘れてしまう。
【課題を解決するための手段】
【０００５】
前記課題を解決するために、本発明のパスワード入力方法の請求項１に記載の発明は、
少なくとも入力部と表示部を有する入出力装置の表示部に、カテゴリとそれに関連する要素情報を入力してパスワードとするパスワード入力方法であって、前記表示部に、複数のカテゴリを表示するカテゴリ情報表示枠を表示し、表示された複数のカテゴリから１つのカテゴリを選択して関連する複数の要素情報を第１の表示枠に表示し、前記複数の要素情報から１つを選択して第２の表示枠に表示し、第２の表示枠に表示された要素情報の関連情報を第３の表示枠に表示し、最初に選択したカテゴリと、第２の表示枠に表示された要素情報と第３の表示枠に表示された関連情報の組合せを入力者のパスワードとすることを特徴とするものである。
【０００６】
また、請求項２に記載の発明は、請求項１に記載の発明において、
カテゴリ情報表示枠には概念要素を表示し、第１の表示枠には外延要素を表示したことを特徴とするものである。
【０００７】
また、請求項３に記載の発明は、請求項２に記載の発明において、
第３の表示枠に表示された関連情報は、第２の表示枠に表示された要素情報から連想される連想情報であることを特徴とするものである。
【０００８】
また、請求項４に記載の発明は、請求項２〜３何れか１項に記載の発明において、
カテゴリ情報表示枠のカテゴリの表示順序は、変更されることを特徴とするものである。
【０００９】
また、請求項５に記載の発明は、請求項１〜４何れか１項に記載の発明において、
入力者の設定により、カテゴリ，要素情報，関連情報の組み合せ順序は、固定されることを特徴とするパスワード入力方法。
【００１０】
また、請求項６に記載の発明は、請求項１〜５何れか１項に記載の発明において、
カテゴリ，要素情報，関連情報は、文字列，画像，記号の何れかを含む情報であることを特徴とするものである。
【００１１】
また、請求項７に記載の発明は、請求項１〜６何れか１項に記載の発明において、
複数のカテゴリを選択する場合は、第２のカテゴリを選択し、関連する要素情報を第１の表示枠に表示し、前記複数の要素情報から１つを選択して第２の表示枠に表示し、第２の表示枠に表示された要素情報の関連情報を第３の表示枠に表示し、前記操作を順次繰り返すことを特徴とするものである。
【発明の効果】
【００１２】
本発明のパスワード入力方法を使用することによって、豊富な数のカテゴリによって、その関連情報を追って行き、最後は連想情報で締めくくるパスワードの設定方法は、不正を働こうとするものに対して最初からその意欲をくじくことができる。
また、画面に最初に表示されるカテゴリ（概念情報）の表示順序（表示位置）が画面を開く度に変更されても、利用者はその中から間違うことなく設定したカテゴリ情報を探し出すことができ、不正をより困難にすることができる。
また、次に表示される外延情報によって、最初に選択された概念情報が正しかったことが検証でき、自分が設定したパスワードを途中で忘れたために使用できなくなったということが生じない。
また、カテゴリの数を多く設定するほどセキュリティ性を高めることができ、利用者は、希望するセキュリティレベルに合わせて設定することができる。
【発明を実施するための最良の形態】
【００１３】
以下、図面を参照して本発明のパスワード入力方法について説明する。
図１は、本発明のパスワード入力方法が適用される入出力装置について説明するためのブロック図，図２は、パスワード設定画面の一例について説明するための図，図３は、パスワード設定手順の一例について説明するための図，図４は、パスワード入力画面の一例について説明するための図，図５は、パスワード入力・本人認証手順の一例について説明するための図，である。
図１を参照して、本発明のパスワード入力方法が適用される入出力装置について説明する。
入出力装置は、例えばパーソナルコンピュータのように、少なくともキーボードやマウスのような入力部２，パスワード入力画面・認証画面を表示（出力）する表示部１，少なくともパーソナルコンピュータなどの利用者のパスワード等を保管して、ログイン時に入力されたパスワードが正当なものか否かを認証する主制御部３，利用者のパスワード等を保管する照合用パスワード情報格納部４，カテゴリ別要素情報を保管し、カテゴリを制御するためのプログラムが格納されたカテゴリ情報制御部５，このカテゴリ制御部に接続されたカテゴリ１の要素情報管理マスタ５１０，カテゴリ２の要素情報管理マスタ５２０，カテゴリｎの要素情報管理マスタ５ｎを備えている。
また、主制御部３は、表示しないがランダムアクセスメモリ（ＲＡＭ）部や、データの送受信制御部を備えている。
【００１４】
図２を参照して、パスワード設定画面の一例について説明する。
図２は、表示部の画面１に、パスワード設定画面を表示した状態を示している。
ポインティングデバイスで、ポインタ７を移動させて、パスワード設定画面のメニューバー１１の「カテゴリ」表示文字をクリックするとカテゴリ情報表示枠５１が表示される。
複数のカテゴリを収録するカテゴリ情報表示枠５１には、上位概念，包括に相当する文字列，画像，記号が表示される。
以下の説明では、これら文字列，画像，記号を表す一表現形式として「言葉」という表現を使用する。
上位概念，包括に相当する「言葉」として、例えば、「乗り物」，「動物」，「色」，「季節」，「暦」等が表示される。
「乗り物」に対して、下位概念，外延に相当する「言葉」として「自動車」，「船」，「飛行機」，「電車」等が表示される。
本実施の形態では、これら下位概念の「言葉」を要素情報という。
【００１５】
ポインタ７を移動させてカテゴリ集団から、「暦」を選択すると、表示されている背景領域が濃い色の帯に変り、カテゴリの要素情報表示枠（以下第1の表示枠という。）５２に１月から１２月までの「月」の呼称が表示される。
「月」の呼称集団から「Ｊｕｎｅ」を選択すると「Ｊｕｎｅ」が表示されている背景領域が濃い色の帯に変り、選択された要素情報が要素情報表示枠（以下第２の表示枠という。）５３に「Ｊｕｎｅ」と表示される。選択された文字の背景領域を変色させる目的は、選択された言葉を確認させるためで、他の方法が使用されてもよい。
要素情報「Ｊｕｎｅ」に対する関連情報（連想情報）を入力する場合は、関連情報入力枠（以下第３の表示枠という。）に、連想される「言葉」として、例えば、「花嫁」と入力する。
第３の表示枠を指定すると、参照情報表示枠５４に関連情報の参考として「傘」，「菖蒲」などの「言葉」が表示される。これらの参照情報は、引用されてもされなくてもよい。
【００１６】
一連の入力が終わったら、登録カテゴリ数の入力枠６１に「１」を入力し、関連情報登録チェック枠６３にチェックを入れる。また、選択した言葉の順序を固定したい場合は順序固定チェック枠６２にチェックを入れる。
本発明では、カテゴリを複数選択できるようになっており、最初に登録カテゴリ数の入力枠６１に選択するカテゴリ情報の数を数字で入力し、前述の操作を繰返してもよい。
また、順序固定チェック枠６２にチェック入れてからカテゴリ選択の操作に入ってもよい。
複数のカテゴリが選択される場合は、それだけセキュリティが高くなることから、関連情報は登録されなくてもよい。
【００１７】
カテゴリ情報表示枠５１に表示される「言葉」の順番がそのままの場合、複数のカテゴリを選択する利用者は、カテゴリ情報表示枠５１に表示された順番にしたがって順次選択していく可能性が出てくる。
そのために、よりセキュリティ性を高めるために、カテゴリ情報表示枠５１に表示順を変更するプログラムを組み込み、カテゴリ情報表示枠５１に表示されている「言葉」の順番を所定のタイミングで変更する。
【００１８】
図３を参照してパスワード設定手順の一例について説明する。
表示部の画面に、パスワード設定画面を表示する（ステップ１：以下Ｓ１という。）。
次に、パスワード設定画面のメニューバーの「カテゴリ」表示文字をクリックして、カテゴリ情報表示枠を表示する（Ｓ２）。
カテゴリ情報表示枠が表示されると、登録するカテゴリ数の入力枠，順序固定チェック枠，関連情報登録チェック枠が一緒に表示される。
Ｓ２で表示した「登録するカテゴリ数の入力枠」に、キーボードを操作して登録するカテゴリ数（ｎ＝１）を入力する（Ｓ３）。
【００１９】
カテゴリ情報表示枠のカテゴリリストからカテゴリ１を選択し、クリックすると第１の表示枠にカテゴリ１の要素情報が表示される。要素情報リストから１つの要素情報を選択してクリックし、第２の表示枠に表示する（Ｓ４）。
関連情報を入力する場合は、関連情報登録チェック枠をクリックし、第３の表示枠を表示して枠内に関連情報を入力する（Ｓ５）。
登録カテゴリの数が複数の場合はＳ６，Ｓ７に戻りＳ４で行ったと同様の操作を繰り返す。
パスワード設定画面は、本実施の形態ではカテゴリ情報１に対して１画面で対応している。しかし、複数のカテゴリを選択する利用者に対しては、図示しないが、例えば、選択した複数のカテゴリ情報，複数の要素情報，複数の関連情報を１つの画面にまとめて表示し、登録した内容を一覧できるようにすることもできる。
入力作業が終わったら入力順序を固定する（Ｓ８）。
設定したパスワードを確認してパスワードの設定作業を終了する（Ｓ９）。
選択したカテゴリ情報が複数の場合は、設定したパスワードを前記一覧画面で確認してパスワードの設定作業を終了する。
【００２０】
図４を参照して、パスワード入力画面の一例について説明する。
表示部の画面に、パスワード入力画面を表示する。
表示された画面は、図２で設定し、登録されたパスワードと、入力パスワードを照合するための画面である。
ＩＤ番号入力枠５００に「ＩＤ」を、例えば、「ＡＢＣ１２３４５６７８９」と入力すると、登録されたカテゴリ情報の数に応じて、パスワード「ＰＷ」入力枠が表示される。
本実施の形態では、図２で１つのカテゴリ情報と関連情報が登録されたために、実線で表示されたカテゴリ情報５１１，要素情報５３１，関連情報５４１の１セットの入力枠が表示されている。
複数のカテゴリ情報が設定された場合は、点線で示したように複数セットの入力枠が表示される。
【００２１】
ＩＤ番号入力枠５００と、パスワード入力枠５１１，５３１，５４１には、入力された情報と登録された情報とを照合するプログラムが組み込まれていて、入力作業が終了すると自動的に照合され、次の画面を表示する。
図では、前記ＩＤ番号入力枠とパスワード入力枠には、データが表示されているが実際の入力時には登録された情報はどこにも表示されない。
図３の手順で説明した要領で、第１の表示枠５１からカテゴリ情報を，第２の表示枠５２から要素情報を，関連情報入力枠から関連情報を入力すると、パスワード入力枠５１１，５３１，５４１にそれぞれ入力データが表示され、照合ボタン６００を押すと照合が行われる。
【００２２】
図５を参照して、パスワード入力・本人認証手順の一例について説明する。
パスワード入力画面は、登録されたパスワードと、入力されたパスワードを照合するための画面である。
メニューバーの「入力画面」表示文字をクリックして、パスワード入力画面を表示する（Ｓ１１）。
パスワード入力画面に表示されたＩＤ番号入力枠にＩＤ番号を入力する（Ｓ１２）。
登録されたカテゴリ情報の数のパスワード入力枠が表示される。
本実施の形態では、１つのカテゴリ情報，関連情報が登録されたために、カテゴリ情報，要素情報，関連情報の１セットの入力枠が表示される。
複数のカテゴリ情報が設定された場合は、複数セットの入力枠が表示される。
カテゴリ情報表示枠のカテゴリリストからカテゴリ情報１つを選択し、クリックする。
表示されたカテゴリ情報１の要素情報の中から要素情報を１つ選択してクリックする。
カテゴリ情報，要素情報が入力枠に入力される（Ｓ１３）。
次に、関連情報枠が選択されているために、関連情報入力枠に関連情報を入力する（Ｓ１４）。
カテゴリ入力枠が複数表示されている場合はＳ１５，Ｓ１６に戻りＳ１３以降で行ったと同様の操作を繰り返す。
入力作業が終わったら入力内容を確認する（Ｓ１７）。
画面の照合ボタンを押して入力データと登録データを照合し、本人であることを認証する（Ｓ１８）。
【産業上の利用可能性】
【００２３】
本発明のパスワード入力方法は、高いセキュリティのもとで管理される入出力装置に利用される。
【図面の簡単な説明】
【００２４】
【図１】本発明のパスワード入力方法が適用される入出力装置について説明するためのブロック図である。
【図２】パスワード設定画面の一例について説明するための図である。
【図３】パスワード設定手順の一例について説明するための図である。
【図４】パスワード入力画面の一例について説明するための図である。
【図５】パスワード入力・本人認証手順の一例について説明するための図である。
【符号の説明】
【００２５】
１      表示部
２      入力部
３      主制御部
４      照合用パスワード情報格納部
５      カテゴリ情報制御部
７      ポインタ
１１    パスワード設定画面のメニューバー
１２    パスワード入力画面のメニューバー
５１    カテゴリ情報表示枠
５２    カテゴリの要素情報表示枠（第１の表示枠）
５３    選択された要素情報表示枠（第２の表示枠）
５４    関連情報入力枠（第３の表示枠）
５５    関連情報の参照情報表示枠
６１    登録カテゴリ数入力枠
６２    順序固定チェック枠
６３    関連情報登録チェック枠
５００  ＩＤ番号入力枠
５１０  カテゴリ１要素情報管理マスタ
５２０  カテゴリ２要素情報管理マスタ
５ｎ    カテゴリｎ要素情報管理マスタ
５１１  選択されたカテゴリ情報入力枠
５３１  選択された要素情報入力枠
５４１  関連情報入力枠
６００  照合ボタン
【図１】
2006079269.tif 000003
【図２】
2006079269.tif 000004
【図３】
2006079269.tif 000005
【図４】
2006079269.tif 000006
【図５】
2006079269.tif 000007